(57)【特許請求の範囲】
【請求項１】
屋上階を備えた建物であって、
前記屋上階に設けられた外部歩行領域と、
前記屋上階の床材を支持する梁材に固定されて前記屋上階に立設されるとともに前記外部歩行領域の少なくとも一部を覆う日除けが着脱自在に留め付けられる留付け部を備える支柱と、を有し、
前記建物は下階に上方が開放されたベランダを有し、
前記日除けが、前記支柱と前記ベランダに設けられた留付け部とに着脱自在に留め付けられて前記外部歩行領域に加えて前記ベランダの少なくとも一部を覆うことを特徴とする建物。
【請求項２】
前記支柱に留め付けられて前記外部歩行領域の少なくとも一部を覆う日除けを有することを特徴とする請求項１に記載の建物。
【請求項３】
前記屋上階に前記外部歩行領域への出入り口を備えたペントハウスが設けられ、
前記日除けが、前記外部歩行領域の前記出入り口の近傍を覆うことを特徴とする請求項２に記載の建物。
【請求項４】
前記ペントハウスの前記出入り口の上方部分に庇が設けられ、
前記日除けが、前記庇の下方に該庇の側が高くなるように傾斜した状態で留め付けられることを特徴とする請求項３に記載の建物。
【請求項５】
前記日除けが、防水機能を有する請求項２〜４の何れか１項に記載の建物。
【発明の詳細な説明】
【技術分野】
【０００１】
本発明は、屋上階を備えた建物に関し、特に、屋上階に外部歩行領域が設けられたものに関する。
【背景技術】
【０００２】
従来から、屋根部分を略平坦な形状に形成し、その上に手摺等で区画した外部歩行領域を備えた屋上階を設けて屋根部分の有効利用を図った建物（住宅）が知られている。
【０００３】
しかしながら、このような建物の屋上階は日陰となる部分が少なく、そのため、特に夏季には利用され難いものであった。これに対して、屋上階に恒久的な屋根を設けることが考えられるが、屋上階への屋根の設置は建築基準法の面積制限や斜線制限に抵触するおそれがあり、また、屋上階に設置した太陽電池等の太陽光利用装置に対して影を生じる等の悪影響を及ぼすおそれがある。
【０００４】
そこで、例えば特許文献１に示すように、屋上階に引き出しおよび巻き取りが可能なシャッターを設け、日影が必要となったときにシャッターを引き出して屋上階に日陰となる領域を形成することができるようにした建物が開発されている。
【先行技術文献】
【特許文献】
【０００５】
【特許文献１】特開平４−２４７１４６号公報
【発明の概要】
【発明が解決しようとする課題】
【０００６】
しかしながら、上記特許文献１に記載される建物では、屋上階にシャッターを支持するための大掛かりなフレームを設ける必要があり、その設置に多大なコストや工数が必要であるという問題があった。
【０００７】
本発明は、このような点を解決することを課題とするものであり、その目的は、より簡素な構成で必要に応じて屋上階に日陰領域を形成することができる建物を提供することにある。
【課題を解決するための手段】
【０００８】
本発明の建物は、屋上階を備えた建物であって、前記屋上階に設けられた外部歩行領域と、前記建物の躯体に固定されて前記屋上階に立設されるとともに前記外部歩行領域の少なくとも一部を覆う日除けが着脱自在に留め付けられる留付け部を備える支柱と、を有することを特徴とする。
【０００９】
本発明の建物は、上記構成において、前記支柱に留め付けられて前記外部歩行領域の少なくとも一部を覆う日除けを有するのが好ましい。
【００１０】
本発明の建物は、上記構成において、前記屋上階に前記外部歩行領域を区画する手摺が設けられ、前記日除けが、前記支柱と前記手摺とに着脱自在に留め付けられるのが好ましい。
【００１１】
本発明の建物は、上記構成において、前記屋上階に前記外部歩行領域への出入り口を備えたペントハウスが設けられ、前記日除けが、前記支柱と前記ペントハウスとに着脱自在に留め付けられるのが好ましい。
【００１２】
本発明の建物は、上記構成において、前記日除けが、前記外部歩行領域の前記出入り口の近傍を覆うのが好ましい。
【００１３】
本発明の建物は、上記構成において、前記ペントハウスの前記出入り口の上方部分に庇が設けられ、前記日除けが、前記庇の下方に該庇の側が高くなるように傾斜した状態で留め付けられるのが好ましい。
【００１４】
本発明の建物は、上記構成において、前記建物は下階に上方が開放されたベランダを有し、前記日除けが、前記支柱と前記ベランダに設けられた留付け部とに着脱自在に留め付けられて前記外部歩行領域に加えて前記ベランダの少なくとも一部を覆うのが好ましい。
【００１５】
本発明の建物は、上記構成において、前記日除けが、防水機能を有するのが好ましい。
【発明の効果】
【００１６】
本発明によれば、より簡素な構成で必要に応じて屋上階に日陰領域を形成することができる建物を提供することができる。
【図面の簡単な説明】
【００１７】
【図１】本発明の一実施の形態である建物の正面図である。
【図２】図１に示す建物の側面図である。
【図３】図１に示す建物の、ペントハウスの部分を切り欠いて示した平面図である。
【図４】図１に示す支柱の構造を示す説明図である。
【図５】庇への日除けの取付け構造の詳細を示す説明図である。
【図６】日除けの取付け箇所の変形例を示す説明図である。
【図７】本発明の他の実施の形態である建物の側面図である。
【図８】図７に示す建物の、ペントハウスの部分を切り欠いて示した平面図である。
【発明を実施するための形態】
【００１８】
以下、図面を参照して、本発明をより具体的に例示説明する。
【００１９】
図１、図２に示すように、本発明の一実施形態である建物１は、鉄骨造の二階建ての一戸建て住宅に構成されている。この建物１の玄関２は一階部分３に南向きに設けられており、また、詳細は図示しないが一階部分３に寝室等が設けられ、二階部分４にキッチンや居間等が設けられている。
【００２０】
なお、本発明の建物１は、図示するような二階建てに限らず、例えば三階建てなど任意の階数とすることができる。また、建物１は鉄骨造に限らず木造等の他の構造とすることができ、玄関２の向きや間取り等も任意に設定することができる。
【００２１】
建物１の二階部分４の南西角部には上方が開放されたベランダであるオープンロッジア５が設けられている。つまり、オープンロッジア５は、建物１の鉄骨造の躯体（骨組み）を構成する柱梁軸組架構の内部に形成されたベランダであって、その外周縁に沿って屋根の梁と同一高さで連続して設けられた外周梁の内側領域の全面（一部であってもよい）が開放されたものである。建物１は、オープンロッジア５が設けられない構成とすることもできるが、オープンロッジア５を設ける場合にはこれを二階部分４の居間に隣接して設けるのが好ましい。
【００２２】
建物１には、その屋根部分が略平坦に形成されて屋上階６が設けられている。屋上階６には外部歩行領域１０とペントハウス２０とが設けられている。
【００２３】
図３に示すように、外部歩行領域１０は屋上階６の一部を手摺１１によって区画して形成されている。つまり、屋上階６の平坦な床面を有する領域のうち、手摺１１によって区画された内側部分が外部歩行領域１０となっている。居住者は外部歩行領域１０において屋上階６を安全に歩行することができる。
【００２４】
なお、外部歩行領域１０は、手摺１１によって区画形成されるに限らず、例えば壁、柵、植え込み等の他の部材によって区画形成されてもよい。
【００２５】
ペントハウス（塔屋）２０は屋上階６に外部歩行領域１０に面して設けられる。図３に示すように、本実施の形態においては、ペントハウス２０は屋上階６の北側部分に東西方向略中央位置に位置して設けられ、その南向き部分と東向き部分の一部が外部歩行領域１０に面している。
【００２６】
ペントハウス２０の外部歩行領域１０に面する部分（図示する場合では南向き部分）には外部歩行領域１０への出入り口２１が設けられている。出入り口２１は、例えば図３に示すようなヒンジドアで構成することができるが、掃き出し窓や引き戸などのスライド式の開閉体で構成することもできる。
【００２７】
また、図３に示すように、ペントハウス２０の内部には、建物１の二階部分（下階）４と屋上階６との間を行き来するための階段（昇降手段）２２を内蔵する階段室（昇降用空間）２３と、この階段室２３と出入り口２１とを連ねる通路２４とが設けられている。居住者は、階段室２３に内蔵された昇降用の階段２２を通って二階部分４と屋上階６とを行き来することができるとともに、階段室２３から通路２４を通り、出入り口２１から外部歩行領域１０に出入りすることができる。つまり、ペントハウス２０は建物１の二階部分４から屋上階６に設けられた外部歩行領域１０へ出入りするために設けられたものであり、階段室２３、通路２４および出入り口２１のみを備え、居室的な空間を有していない構成となっている。
【００２８】
このようなペントハウス２０は、その水平投影面積が建物１の建築面積の１／８以内で、かつ、その高さが５ｍ以下に形成されるのが好ましい。ペントハウス２０をこのような大きさに形成することにより、建築基準法における建物１の階数に算入させることなくペントハウス２０を屋上階６に設けることができる。
【００２９】
図３に示すように、本実施の形態においては、ペントハウス２０に内蔵される階段２２は二階部分４と屋上階６との間で１８０度曲がるＵターン階段に形成されており、図２に示すように、ペントハウス２０の屋根２５は階段２２の傾斜に合わせて南側に対して北側が低くなる傾斜屋根に構成されている。
【００３０】
なお、ペントハウス２０に設けられる階段２２は図示するようなＵターン階段に限らず、例えば二階部分４と屋上階６との間で真っ直ぐに延びる直階段、屋上階６から真っ直ぐに延びるとともに二階部分４との連接部分において９０度曲がる下曲がり階段、二階部分４から真っ直ぐ延びるとともに屋上階６との連接部分において９０度曲がる上曲がり階段など、種々の形態とすることができる。また、階段２２に隣接した部分が二階部分４からの吹き抜けとなるように構成することもできる。
【００３１】
ペントハウス２０は、出入り口２１の上方部分に庇（固定式日除け）３０を備えた構成とすることができる。この場合、庇３０はペントハウス２０の出入り口２１の上側における外壁に固定され、そこから外方に向けて突出して外部歩行領域１０のペントハウス２０に対して南側の少なくとも一部を覆っている。この庇３０は、日除けとしてだけでなく雨除けとしても機能する。
【００３２】
詳細は図示しないが、ペントハウス２０は、階段２２を内蔵する階段室２３に替えてエレベータ（昇降手段）を内蔵するエレベータ室（昇降用空間）を備えた構成とすることもできる。また、階段２２を内蔵する階段室２３とエレベータを内蔵するエレベータ室の両方を備えた構成とすることもできる。
【００３３】
屋上階６には、外部歩行領域１０の少なくとも一部を覆う日除け（可動式日除け）３１を設置するために支柱３２が設けられている。図示する場合では、ペントハウス２０の真南側に面した外部歩行領域１０内の、建物１の南面に沿って延びる手摺１１に近接した位置に一対の支柱３２が設置されている。
【００３４】
一対の支柱３２は、それぞれ建物１の躯体に固定されて屋上階６の床から上方に突出するように立設される。以下に、支柱３２の建物１の躯体への固定構造について説明する。
【００３５】
図４に示すように、建物１の躯体４０は鉄骨造となっており、この躯体４０を構成する一対の互いに直交するＨ型鋼製の梁材４１、４２の間には鋼材製のＬ字形状の設置部材４３が固定されている。設置部材４３の角部には上方に向けて突出する円柱状の脚部材４４が固定されており、この脚部材４４の上端に設けられた円板状の支持台４５の上面にはアングル材４６が固定されている。アングル材４６は屋上階６の床面から上方に突出しており、支柱３２はその下端において支持台４５に支持されるとともにアングル材４６に沿って配置され、複数本のＬ字ボルト４７を用いてアングル材４６に固定されている。なお、符号４８は、脚部材４４に梁材４１、４２の上フランジと同一高さで設けられて梁材４１、４２とともに屋上階６の床材（例えばＡＬＣパネル）を支持する支持プレートである。
【００３６】
このように、支柱３２は、屋上階６の床上に配置されて床に支持されるのではなく、建物１の躯体４０に固定されて躯体４０に直接支持される構成となっている。なお、支柱３２は、設置部材４３や脚部材４４などを用いることなく、建物１の躯体４０に溶接等によって直接固定する構成とすることもできる。
【００３７】
支柱３２には留め付け部としての留付け用フック３３が設けられており、この留付け用フック３３に日除け３１を着脱自在に留め付けることができるようになっている。図示する場合では、日除け３１は長方形状のタープで構成され、その長手方向の一辺には係止フック３４が設けられている。そして、この係止フック３４を留付け用フック３３に着脱自在に取り付けることにより、日除け３１の長手方向の一辺側を留付け用フック３３つまり支柱３２に着脱自在に留め付けることができるようになっている。
【００３８】
日除け３１の長手方向の他辺側は、例えばペントハウス２０の庇３０に留め付けることができる。日除け３１の他辺側をペントハウス２０の庇３０に留め付ける構成とすることにより、日除け３１を支持するための支柱３２の数を減らして、支柱３２の設置に必要なコストを低減することができる。
【００３９】
図５に示すように、庇３０には支柱３２に設けられる留付け用フック３３と同様の構成の留付け用フック３５が設けられており、この留付け用フック３５に日除け３１の長手方向の他辺に設けられた係止フック３６を着脱自在に取り付けることにより、日除け３１の長手方向の他辺側を留付け用フック３５つまり庇３０に着脱自在に留め付けることができる。
【００４０】
日除け３１と庇３０との留め付けは、その辺に沿って間隔を空けて並べて設けられる複数の留付け用フック３５および係止フック３６を用いて複数箇所で行うことができる。また、留付け用フック３５は、アンカー部材３７を介して建物１の梁材に接続された構成とするのが好ましい。アンカー部材３７を介して留付け用フック３５を建物１の梁材に接続することにより、外壁がＡＣＬパネル（高温高圧蒸気養生された軽量気泡コンクリート）で形成されている場合であっても、留付け用フック３５により日除け３１を確実に支持することができる。
【００４１】
なお、日除け３１は、係止フック３４、３６を備えることなく、例えば紐等を用いて留取付け用フック３３、３５に留め付ける構成とするなど、その留め付けのための構成は種々変更可能である。
【００４２】
日除け３１の長手方向の一辺側を一対の支柱３２に留め付けるとともに、長手方向の他辺側をペントハウス２０の庇３０に留め付けることで、外部歩行領域１０の一部を覆うように日除け３１を屋上階６に設置することができる。図示する場合では、日除け３１は、支柱３２とペントハウス２０の庇３０とにより支持され、庇３０に連なるように外部歩行領域１０の上方に張られ、ペントハウス２０の出入り口２１の近傍を含む外部歩行領域１０のペントハウス２０に対して南側の領域を覆っている。日除け３１を外部歩行領域１０のペントハウス２０の出入り口２１の近傍に設置することにより、出入り口２１からペントハウス２０の内部への日射の侵入を抑制することができるとともに、雨天時においても雨に当たることなく外部歩行領域１０に出入りすることができる。
【００４３】
このように、本発明の建物１では、屋上階６に設けた支柱３２に日除け３１を着脱自在に留め付けて外部歩行領域１０の少なくとも一部を日除け３１で覆うことにより、屋上階６の外部歩行領域１０に日除け３１によって日差しが遮られる日陰領域を容易に形成することができる。つまり、屋上階６に支柱３２を設け、これに日除け３１を留め付けるだけの簡単な構成で、必要に応じて屋上階６に日陰領域を形成することができる。このような建物１では、日差しが強い夏季等においても、居住者は日除け３１を設置することにより日差しが遮られる日陰領域を屋上階６に簡単に設けることができる。よって、この建物１の屋上階６を天候に拘わらずより有効に活用することができる。
【００４４】
一方、日除け３１は支柱３２や庇３０等に対して着脱自在に留め付けられる構成となっているので、支柱３２や庇３０等に留め付けられて外部歩行領域１０を覆う使用状態とされている日除け３１を、支柱３２や庇３０等から取り外すことで外部歩行領域１０を覆わない不使用状態とすることができる。
【００４５】
この場合、日除け３１の長手方向の両側の係止フック３４、３６をそれぞれ支柱３２に設けられた留付け用フック３３および庇３０に設けられた留付け用フック３５から取り外し、取り外された日除け３１を畳んで他の場所に保管しておくことで不使用状態とすることができる。また、例えば日除け３１の長手方向の一辺側における係止フック３４を支柱３２の留付け用フック３３から取り外し、日除け３１を庇３０に保持させておくことで不使用状態とすることもできる。この場合、日除け３１は、庇３０に取り付けられた基部に回転軸によって巻き取られ、あるいは基部に駆動アームによって畳み込まれるオーニングとして構成することもできる。
【００４６】
このように、日除け３１を支柱３２から取り外すだけの簡単な作業で、屋上階６に日除け３１が設置されない状態にすることができる。
【００４７】
また、日除け３１を屋上階６に設置するための部材を、留付け用フック３３を備えた支柱３２としたので、屋上階６に日除け３１を設置可能な構成としても、支柱３２から日除け３１を取り外したときに屋上階６に日陰を生じにくくすることができる。したがって、日除け３１を支柱３２から取り外すことにより、この建物１の屋上階６において洗濯物を効率良く乾燥させ、あるいは日光浴を充分に楽しむなど、屋上階６において太陽光を充分に活用することができる。
【００４８】
図１〜図３に示すように、屋上階６には、外部歩行領域１０とは別の領域として太陽光利用領域５０を設けることができる。図示する場合では、屋上階６の北西角部分にペントハウス２０に隣接して太陽光利用領域５０が設けられている。この太陽光利用領域５０には、例えば、太陽熱温水器や太陽電池（ソーラーパネル）等の太陽光を利用可能なエネルギーに変換する太陽光利用装置５１を設置することができる。図示する場合では、太陽光利用装置５１として、架台５２によって南向きに傾斜配置された太陽熱温水器が設けられている。このような太陽光利用領域５０は、終日に亘って、ペントハウス２０により太陽光が遮られない領域に形成されるのが好ましい。
【００４９】
屋上階６に太陽光利用領域５０を設けた場合では、その時間帯や季節によって、支柱３２に留め付けられた日除け３１によって太陽光利用装置５１に向けた太陽光が遮られるおそれがある。しかしながら、本発明の建物１では、必要なときだけ日除け３１を支柱３２に留め付け、不要なときには日除け３１を支柱３２から取り外すことで支柱３２のみが残る状態とすることができるので、太陽光利用装置５１が日除け３１から受ける影の影響を最小限に抑制することができる。したがって、屋上階６に配置された太陽光利用装置４１の受光効率を高めて、より効果的に太陽光エネルギーを取得することができる。
【００５０】
支柱３２に留め付けられる日除け３１の形状は長方形状に限らず、種々の形状とすることができる。また、日除け３１は、タープに限らず、例えば布やビニールシートなどの他のシート状の部材であってもよい。
【００５１】
また、本実施の形態では、日除け３１により外部歩行領域１０の一部のみを覆うようにしているが、これに限らず、日除け３１により外部歩行領域１０の全体を覆うように構成してもよい。この場合、１つの日除け３１だけでなく、複数の日除け３１を多数の支柱３２に留め付ける構成とすることができる。
【００５２】
日除け３１の一辺側が取り付けられる支柱３２は２本に限らず、日除け３１を広げた形状に支持することができれば、日除け３１の形状等に合わせて１本ないし３本以上設けることもできる。
【００５３】
また、日除け３１の他辺側は、ペントハウス２０の庇３０に限らず、種々の部材ないし位置に留め付けることができる。例えば、日除け３１は、その一辺側を支柱３２に着脱自在に留め付け、他辺側を手摺１１に着脱自在に留め付ける構成とすることができる。このように支柱３２だけでなく手摺１１を用いて日除け３１を設置する構成とすることにより、日除け３１を支持するための支柱３２の数を減らして、支柱３２の設置に必要なコストを低減することができる。
【００５４】
さらに、日除け３１の他辺側は、例えばペントハウス２０の外壁や屋上階６の床面、建物１のペントハウス２０以外の部分の壁、上記支柱３２と同様の構成を有する他の支柱３２など、種々の部位ないし部材に留め付けることもできる。この場合、ペントハウス２０の外壁等の他の部材に留付け用フック３５が設けられ、この留付け用フック３５に日除け３１の長手方向の他辺に設けられた係止フック３６が着脱自在に取り付けられることになる。また、支柱３２を３本以上設ける場合には、日除け３１をこれらの支柱３２のみに留め付けて支柱３２のみで設置する構成とすることもできる。
【００５５】
上記のように、日除け３１の長手方向の他辺側は庇３０に替えてペントハウス２０の外壁に取り付ける（留め付ける）こともできる。このように、日除け３１の他辺側をペントハウス２０の外壁に直接留め付ける構成とすることによっても、日除け３１を支持するための支柱３２の数を減らして、支柱３２の設置に必要なコストを低減することができる。この場合、図６に示すように、ペントハウス２０の外壁に留付け用フック３５を設け、この留付け用フック３５に日除け３１の長手方向の他辺に設けた係止フック３６を着脱自在に取り付ける構成とすることができる。このとき、日除け３１を、その長手方向の他辺側が庇３０の下方に重ねて配置するとともに、日除け３１の庇３０の側が支柱３２の側よりも高くなるように傾斜するように留め付けるのが好ましい。これにより、雨天時において庇３０で受けた雨水を、庇３０と日除け３１との間から外部歩行領域１０に垂れ落ちさせることなく日除け３１により当該日除け３１の支柱３２の側となる下端にまで案内して外部に排出させることができる。この構成においても、留付け用フック３５は、アンカー部材３７を介して建物１の梁材に接続された構成とするのが好ましい。
【００５６】
日除け３１は、防水機能ないし撥水機能を有するものとすることもできる。これにより、日除け３１の雨除けとしての機能を高めることができる。特に、上記のように、日除け３１を、その長手方向の他辺側が庇３０の下方に重ねて配置するとともに、日除け３１の庇３０の側が支柱３２の側よりも高くなるように傾斜して留め付けた場合には、日除け３１によって雨水をより効果的に案内して当該日除け３１の下端から外部に排出させることができる。
【００５７】
図７は本発明の他の実施の形態である建物の側面図であり、図８は図７に示す建物の、ペントハウスの部分を切り欠いて示した平面図である。なお、図７、図８においては、前述した部材に対応する部材に同一の符号を付してある。
【００５８】
図７、図８に変形例として示すように、日除け３１は、屋上階６に建物１の躯体に固定して立設された支柱３２の留付け用フック３３と、二階部分４に設けられたベランダつまりオープンロッジア５に設けられた留付け用フック（留付け部）６０とに着脱自在に留め付けられて外部歩行領域１０に加えてオープンロッジア５の少なくとも一部を覆うように設置することもできる。図示する場合では、日除け３１は長方形状のタープで構成され、その長手方向の一辺側において屋上階６に立設された一対の支柱３２の留付け用フック３３に着脱自在に留め付けられるとともに、長手方向の他辺側においてオープンロッジア５を区画する南向きの外壁の内面に設けられた留付け用フック（留付け部）６０に着脱自在に留め付けられ、その長手方向の一端側の部分で外部歩行領域１０のオープンロッジア５に面する一部の領域を覆うとともに、そこからオープンロッジア５の上方に延びた部分でオープンロッジア５の西側の一部を残した領域を覆っている。
【００５９】
このような構成により、屋上階６の外部歩行領域１０だけでなく、必要に応じて下階のオープンロッジア（ベランダ）５にも日陰の領域を形成することができる。また、日除け３１を支柱３２と建物１の外壁等に着脱自在に留め付けて設置する構成であるので、日除け３１を取り外したときにオープンロッジア（ベランダ）５に日陰を生じにくくして、この建物１のオープンロッジア５においても洗濯物を効率良く乾燥させ、あるいは日光浴を充分に楽しむなど太陽光を充分に活用することができる。
【００６０】
図７、図８に示す場合においても、日除け３１は、オープンロッジア５を区画する南向きの外壁の内面に対して複数の留付け用フック６０で留め付けることができる。また、留付け用フック６０も、アンカー部材を介して建物１の梁材に接続された構成とするのが好ましい。
【００６１】
なお、図７、図８に示すように、建物１は、屋上階６にペントハウス２０が設けられず、その替わりにオープンロッジア５の西側部分に外階段６１が設置された構成とすることができる。この場合、外階段６１の上端が屋上階６の外部歩行領域１０に連ねられ、居住者はこの外階段６１を通って二階部分４のオープンロッジア５と屋上階６の外部歩行領域１０との間を行き来することができる。
【００６２】
また、図７、図８に示す変形例の建物１のように、屋上階６の外部歩行領域１０を、この外部歩行領域１０の四隅に建物１の躯体に固定して立設された４本の支柱３２に着脱自在に留め付けられた矩形形状の日除け３１によってその大部分が覆わる構成とすることもできる。
【００６３】
さらに、図７、図８に示す変形例の建物１のように、屋上階６に設けられる太陽光利用領域５０に、太陽熱温水器として構成された太陽光利用装置５１に加えて、太陽電池（ソーラーパネル）として構成された多数の太陽光利用装置６２を設置することもできる。
【００６４】
本発明は前記実施の形態に限定されるものではなく、その要旨を逸脱しない範囲で種々変更可能であることはいうまでもない。
【００６５】
例えば、支柱３１に留め付けられる日除け３１は、タープに限らず、例えば布やビニールシートなどの他のシート状の部材であってもよい。
【００６６】
また、支柱３２は、屋上階６の外部歩行領域１０に立設するのが好ましいが、屋上階６の外部歩行領域１０以外の領域に立設することもできる。
【００６７】
さらに、屋上階６の外部歩行領域１０の床上に、出入り口２１や外階段６２に連ねてデッキ部材を布設し、日除け３１をデッキ部材の上方に設置する構成とすることもできる。なお、デッキ部材６２としてはウッドデッキや樹脂製デッキなどの種々のものを用いることができる。
【００６８】
さらに、建物１に設けられるベランダはオープンロッジア５に限らず、建物１の梁材に片持ちで支持された構成のキャンティベランダなど、種々の構成のものとすることができる。
【産業上の利用可能性】
【００６９】
本発明は、屋上階を備えた建物を建築する際に利用することができる。
【符号の説明】
【００７０】
１  建物
２  玄関
３  一階部分
４  二階部分
５  オープンロッジア
６  屋上階
１０  外部歩行領域
１１  手摺
２０  ペントハウス
２１  出入り口
２２  階段
２３  階段室
２４  通路
２５  屋根
３０  庇
３１  日除け
３２  支柱
３３  留付け用フック（留付け部）
３４  係止フック
３５  留付け用フック
３６  係止フック
３７  アンカー部材
４０  躯体
４１  梁材
４２  梁材
４３  設置部材
４４  脚部材
４５  支持台
４６  アングル材
４７  Ｌ字ボルト
４８  支持プレート
５０  太陽光利用領域
５１  太陽光利用装置（太陽熱温水器）
５２  架台
６０  留付け用フック（留付け部）
６１  外階段
６２  太陽光利用装置（太陽電池）
【図１】
0006775278.tif 000002
【図２】
0006775278.tif 000003
【図３】
0006775278.tif 000004
【図４】
0006775278.tif 000005
【図５】
0006775278.tif 000006
【図６】
0006775278.tif 000007
【図７】
0006775278.tif 000008
【図８】
0006775278.tif 000009